(57)【要約】【課題】様々な使用環境に応じて視認性の高い画面が得られるようにすることが出来る携帯端末及び画面表示方法を提供することを目的とする。【解決手段】携帯端末が、表示部と、外部環境を示す外部環境情報を取得する情報取得手段と、当該外部環境情報に基づいて前記表示部に表示させる画面の表示態様を変化させる表示制御手段とを具備するという手段を採用する。【選択図】図１
2009204988.tif 000002
【特許請求の範囲】
【請求項１】
表示部と、
外部環境を示す外部環境情報を取得する情報取得手段と、
当該外部環境情報に基づいて前記表示部に表示させる画面の表示態様を変化させる表示制御手段とを具備することを特徴とする携帯端末。
【請求項２】
前記情報取得手段は、カメラを有し、
前記カメラが撮像した周囲画像を前記外部環境情報とすることを特徴とする請求項１記載の携帯端末。
【請求項３】
前記情報取得手段は、ＧＰＳ（Global Positioning System）衛星と通信するＧＰＳ通信部を有し、
前記ＧＰＳ通信部がＧＰＳ衛星から受信する信号に基づいて現在地の位置を算出し、前記現在地の位置を前記外部環境情報とすることを特徴とする請求項１または２記載の携帯端末。
【請求項４】
前記情報取得手段は、基地局と通信する基地局通信部を有し、
前記基地局通信部が基地局から受信する現在地の温度情報または／及び湿度情報を前記外部環境情報とすることを特徴とする請求項１〜３のいずれか一項に記載の携帯端末。
【請求項５】
前記表示制御手段は、前記外部環境情報に基づいて表示部に表示させる画面をカラーまたはモノクロに切り替えることを特徴とする請求項１記載の携帯端末。
【請求項６】
前記表示制御手段は、前記外部環境情報に基づいて表示部に表示させる画面のコントラストを調整することを特徴とする請求項１または２記載の携帯端末。
【請求項７】
前記表示制御手段は、前記外部環境情報に基づいて前記表示部が表示する画面の文字の大きさ、文字の色、アイコンの大きさ及びアイコンの色のすべて又は何れか１つ以上を変更することを特徴とする請求項１〜６のいずれか一項に記載の携帯端末。
【請求項８】
画面表示機能を備えた携帯端末の画面表示方法であって、
外部環境を示す外部環境情報を取得し、当該外部環境情報に基づいて画面の表示態様を変更することを特徴とする携帯端末の画面表示方法。
【発明の詳細な説明】
【技術分野】
【０００１】
本発明は、携帯端末及び画面表示方法に関する。
【背景技術】
【０００２】
一般的に、携帯電話機またはＰＨＳ端末等の携帯端末では、６５５３６色または２６２１４４色等の表示色によってディスプレイにカラー画面を表示している。そして、このようなカラー画面は、ユーザの操作等に応じてメニュー画面等の各種画面の遷移は行われるが、同じメニュー画面では、その色合い、明るさ、コントラスト、デザイン等は常に一定であり、変化させることは殆んどない。しかしながら、現在、このようなカラー画面において、表示色数を変化させて各種画面を表示する技術が提案されている。例えば、下記特許文献１には、消費電量を押さえる為に、予め設定された時間が経過すると待受画面を暗くしたり、時間の経過に従って画面の色数を少なくする携帯電話装置が開示されている。
【特許文献１】特開平１１−２７５０１８号公報
【発明の開示】
【発明が解決しようとする課題】
【０００３】
しかしながら、カラー表示画面は、使用環境によっては見にくくなることがある。例えば、直射日光下のような明るい場所では、配色等の画面構成によっては画面の判別が困難になる。また、色覚異常等がある場合も、配色等の画面構成により画面の判別が困難になることがある。従来のカラー表示画面は、このような使用環境を考慮した見やすい画面デザインがなされているとはいえない。しかし、視認性が悪くなる条件は一定ではなく、外部環境に応じて様々に変化するため、一定条件の下で画面表示を変化させても、必ずしも有効にはならない。カラー表示は消費電力も多く、また、カラー表示にした為に、却って視認性が悪化する場合もあった。
【０００４】
本発明は、上述した事情を鑑みたものであり、様々な使用環境に応じて視認性の高い画面が得られるようにすることが出来る携帯端末及び画面表示方法を提供することを目的とする。
【課題を解決するための手段】
【０００５】
上記目的を達成するために、本発明では、携帯端末に係る第１の解決手段として、表示部と、外部環境を示す情報（外部環境情報）を取得する情報取得手段と、当該外部環境情報に基づいて前記表示部に表示させる画面の表示態様を変化させる表示制御手段とを具備するという手段を採用する。
【０００６】
本発明では、携帯端末に係る第２の解決手段として、上記第１の解決手段において、前記情報取得手段は、カメラを有し、前記カメラが撮像した周囲画像を前記外部環境情報とするという手段を採用する。
【０００７】
本発明では、携帯端末に係る第３の解決手段として、上記第１または第２の解決手段において、前記情報取得手段は、ＧＰＳ（Global Positioning System）衛星と通信するＧＰＳ通信部を有し、前記ＧＰＳ通信部がＧＰＳ衛星から受信する信号に基づいて現在地の位置を算出し、前記現在地の位置を前記外部環境情報とするという手段を採用する。
【０００８】
本発明では、携帯端末に係る第４の解決手段として、上記第１〜第３いずれかの解決手段において、前記情報取得手段は、基地局と通信する基地局通信部を有し、前記基地局通信部が基地局から受信する現在地の温度情報または／及び湿度情報を前記外部環境情報とするという手段を採用する。
【０００９】
本発明では、携帯端末に係る第５の解決手段として、上記第１〜第４いずれかの解決手段において、前記外部環境情報に基づいて表示部に表示させる画面をカラーまたはモノクロに切り替えるという手段を採用する。
【００１０】
本発明では、携帯端末に係る第６の解決手段として、上記第１〜第５いずれかの解決手段において、前記表示制御手段は、前記外部環境情報に基づいて表示部に表示させる画面のコントラストを調整するという手段を採用する。
【００１１】
本発明では、携帯端末に係る第７の解決手段として、上記第１〜第６いずれかの解決手段において、前記表示制御手段は、前記外部環境情報に基づいて前記表示部が表示する画面の文字の大きさ、文字の色、アイコンの大きさ及びアイコンの色のすべて又は何れか１つ以上を変更するという手段を採用する。
【００１２】
また、本発明では、画面表示方法に係る第１の解決手段として、画面表示機能を備えた携帯端末の画面表示方法であって、外部環境を示す外部環境情報を取得し、当該外部環境情報に基づいて画面の表示態様を変更するという手段を採用する。
【発明の効果】
【００１３】
本発明によれば、携帯端末が、表示部と、外部環境を示す情報（外部環境情報）を取得する情報取得手段と、当該外部環境情報に基づいて前記表示部に表示させる画面の表示態様を変化させる表示制御手段を具備することによって、ユーザは様々な使用環境に応じて視認性の高い画面を得ることが出来る。
【発明を実施するための最良の形態】
【００１４】
以下、図面を参照して、本発明の一実施形態について説明する。本実施形態は、携帯端末の１つであるＰＨＳ（Personal Handy-phone System）端末に関する。
図１は本実施形態に係るＰＨＳ端末Ａの機能構成を示す機能ブロック図である。ＰＨＳ端末Ａの機能構成を、図１を参照して説明する。ＰＨＳ端末Ａは、図１に示すように、通信部１、操作部２、表示部３、カメラ４及び制御部５から構成される。
【００１５】
通信部１は、制御部５による指示の下、基地局と音声信号、データ信号及び制御信号等の各種信号を送受信する。
操作部２は、テンキー、方向キー、及び各種機能キー等の各種操作キーから構成されており、これらの操作キーに対するユーザの操作指示を受け付けて制御部５に出力する。
表示部３は、例えば液晶ディスプレイまたは有機ＥＬ（Electronic Luminescent）ディスプレイ等であり、制御部５から入力される画像信号に基づいて画像や文字からなる各種画像を表示する。
【００１６】
カメラ４は、制御部５の制御に基づいて、画像を撮像して制御部５に出力する。このカメラ４は、例えばＣＣＤ（Charge-Coupled Devices）方式またはＣＭＯＳ（Complementary Metal-Oxide Semiconductor）方式の受光素子を内蔵するデジタルカメラである。
【００１７】
制御部５は、ＣＰＵ（Central Processing Unit）、ＲＯＭ（Read Only Memory）及びＲＡＭ（Random Access Memory）から構成される内部メモリ並びに上記通信部１、操作部２、表示部３、カメラ４と信号の入出力をそれぞれ行うインタフェース回路等から構成されており、上記ＲＯＭに記憶された制御プログラム、通信部１が受信する各種信号及び操作部２が受け付ける操作指示及びカメラ４が撮像する画像に基づいてＰＨＳ端末Ａの全体動作を制御する。
なお、上記ＲＯＭに記憶されている制御プログラムは、表示制御プログラムを備えており、制御部５はこの表示制御プログラムに基づいて表示部３に画面を表示させる。なお、この制御部５の制御処理の詳細については、以下にＰＨＳ端末Ａの動作として説明する。
【００１８】
次に、上記構成のＰＨＳ端末Ａの動作について、図２を参照して詳しく説明する。図２は、本実施形態に係るＰＨＳ端末Ａの動作を示すフローチャートである。
制御部５は、操作部２は受け付けた操作指示に基づいて、図３に示すカラー／モノクロ選択メニュー画面を表示部３に表示させ（ステップＳ１）、カラー／モノクロ選択メニュー画面の「カラー表示」 あるいは「モノクロ表示」の選択指示を操作部２が受け付けたか否か判定する（ステップＳ２）。なお、図３は、ＰＨＳ端末Ａの表示部３が表示するカラー／モノクロ表示選択メニュー画面の一例を示す図である。このカラー／モノクロ選択メニュー画面は、図３に示すように「カラー表示」及び「モノクロ表示」のメニューリストを表示し、画面のカラー表示またはモノクロ表示をユーザに選択させる画面である。 
【００１９】
制御部５は、ステップＳ２において「カラー表示」及び「モノクロ表示」の選択指示を受け付けていない場合には、操作部２が「カラー表示」または「モノクロ表示」の選択指示を受け付けるまで待機し、ステップＳ２において操作部２が「カラー表示」の選択指示を受け付けると、通常のカラー表示によって図４に示す色彩調整選択メニュー画面を表示する（ステップＳ３）。図４は、ＰＨＳ端末Ａの表示部３が表示する色彩調整更選択メニュー画面の一例を示す図である。この色彩調整選択メニュー画面は、図４に示すように「明るさ」、「コントラスト」及び「ホワイトバランス」 のメニューリストを表示し、画面の「明るさ」、「コントラスト」または「ホワイトバランス」のいずれを調整するのかをユーザに選択させる画面である。
【００２０】
制御部５は、色彩調整選択メニュー画面の「明るさ」、「コントラスト」または「ホワイトバランス」の選択指示を操作部２が受け付けたか否か判定し（ステップＳ４）、ステップＳ４において「明るさ」、「コントラスト」または「ホワイトバランス」の選択指示を操作部２が受け付けていない場合には、「明るさ」、「コントラスト」または「ホワイトバランス」の選択指示を操作部２が受け付けるまで待機し、ステップＳ４において「輝度」、「コントラスト」または「ホワイトバランス」の選択指示を操作部が受け付けた場合には、カメラ４を起動すると共にこのカメラ４に周囲画像を撮像させる（ステップＳ５）。
【００２１】
制御部５は、カメラ４が撮像した周囲画像に基づいてカラー表示の画面の「輝度」、「コントラスト」または「ホワイトバランス」を調整する（ステップ６）。具体的に、「輝度」は、制御部５によって周囲が明るいほど高く設定され、周囲が暗いほど低く設定される。また、「コントラスト」も「輝度」と同様に周囲が明るいほど高く設定され、周囲が暗いほどには低く設定される。さらに、「ホワイトバランス」は、制御部５が周囲画像に基づいて判定した光源の色温度に基づいて調整される。制御部５は、ステップＳ６における「輝度」、「コントラスト」または「ホワイトバランス」の調整が完了すると、カラー表示かつ「明るさ」、「コントラスト」または「ホワイトバランス」を調整した待受画面に遷移し、カメラ４を停止する。
【００２２】
制御部５は、ステップＳ２において操作部２が「モノクロ表示」の選択指示を受け付けると、モノクロ表示によって図４に示す色彩調整選択メニュー画面を表示する（ステップＳ７）。このとき、制御部５は、カラー表示の色彩変更選択メニュー画面の色差に基づいてモノクロ表示の色彩変更選択メニュー画面を生成し、このモノクロ表示の色彩変更選択メニュー画面を表示部３に表示させる。
【００２３】
制御部５は、色彩調整選択メニュー画面の「明るさ」、「コントラスト」または「ホワイトバランス」の選択指示を操作部２が受け付けたか否か判定し（ステップＳ８）、ステップＳ８においての選択指示を操作部２が受け付けていない場合には、選択指示を操作部２が受け付けるまで待機し、ステップＳ８において選択指示を操作部が受け付けた場合には、カメラ４を起動すると共にこのカメラ４に周囲画像を撮像させる（ステップＳ９）。
【００２４】
制御部５は、カメラ４が撮像した周囲画像に基づいてモノクロ表示の画面の「輝度」、「コントラスト」または「ホワイトバランス」を調整し（ステップＳ１０）、「輝度」、「コントラスト」または「ホワイトバランス」の調整が完了すると、モノクロ表示かつ「明るさ」、「コントラスト」または「ホワイトバランス」を調整した待受画面に遷移し、カメラ４を停止する。
【００２５】
以上説明したように、ＰＨＳ端末Ａにおいて、制御部５が、操作指示に基づいて画面をカラー表示またはモノクロ表示に切り替え、カメラ４によって撮像された周囲画像から周囲の明るさまたは色温度を判断し、周囲の明るさに基づいて画面の明るさまたはコントラストを調整し、さらに色温度に基づいてホワイトバランスを調整する為、ユーザは、様々な使用環境に応じて視認性の高い画面を得ることが出来る。
【００２６】
以上、本発明の一実施形態について説明したが、本発明は上記実施形態に限定されることなく、例えば以下のような変形が考えられる。
（１）上記実施形態では、制御部５は、画面の「明るさ」、「コントラスト」及び「ホワイトバランス」の調整をカメラ４が撮像した周囲画像に基づいて行ったが、本発明はこれに限定されない。
例えば、制御部５は、通信部１が基地局（図示なし）からパケット通信によって受信する現在地の温度情報に基づいて、画面の色彩を調整するようにしてもよい。具体的には、制御部が、温度が所定のしきい値より高い場合に寒色系の青色を基調とする画面を表示部３に表示させ、温度が所定のしきい値より低い場合に暖色系の赤色を基調とする画面を表示部３に表示させる。このとき、温度に応じて青色または赤色の色味を段階的に上下させてもよい。
また、制御部５は、通信部１がＧＰＳ衛星から受信する信号に基づく現在位置（暖かい地方または寒い地方等）、パケット通信によって受信する現在地の湿度情報に基づいて、画面の色彩を調整するようにしてもよい。
【００２７】
（２）上記実施形態では、制御部５は、カメラ４が撮像した周囲画像に基づいて、画面の「明るさ」、「コントラスト」及び「ホワイトバランス」を調整したが、本発明はこれに限定されない。
例えば、制御部５は、カメラ４が撮像した周囲画像に基づいて周囲の明るさを判断し、この周囲の明るさに基づいてガンマ値を調整するようにしてもよい。このとき、ガンマ値は、周囲が明るいほど高い値に設定され、周囲が明るいほど低い値に設定されるようにしてもよい、
【００２８】
（３）上記実施形態では、制御部５は、操作部２が受け付ける操作指示に基づいて、画面をカラー表示またはモノクロ表示に切り替えたが、本発明はこれに限定されない。
例えば、制御部５は、カメラ４が撮像した周囲画像に基づいて周囲の明るさを判断し、周囲の明るさに応じて表示部３が表示する画面をカラー表示またはモノクロ表示に切り替えてもよい。このとき、周囲の明るさが所定のしきい値以上である場合に、モノクロ表示にして、所定のしきい値以下である場合に、カラー表示にするようにしてもよいし、またその逆でもよい。
【００２９】
（４）上記実施形態では、制御部５は、画面全体をカラー表示またはモノクロ表示に切り替え、さらにその画面の「明るさ」、「コントラスト」及び「ホワイトバランス」を調整したが、本発明はこれに限定されない。
例えば、制御部５が、操作部２が受け付ける操作指示またはカメラ４が撮像する周囲画像に基づいて画面の構成要素である文字またはアイコンの大きさまたは色を調整するようにしてもよい。具体的には、周囲が明るい場合に、文字またはアイコンを小さく表示し、周囲が暗い場合に、文字またはアイコンを大きく表示する。
【図面の簡単な説明】
【００３０】
【図１】本実施形態に係るＰＨＳ端末Ａの機能構成を示す機能ブロック図である。
【図２】本実施形態に係るＰＨＳ端末Ａの動作を示すフローチャートである。
【図３】本実施形態に係るＰＨＳ端末Ａの表示部３が表示するカラー／モノクロ表示選択メニュー画面の一例を示す図である。
【図４】本実施形態に係るＰＨＳ端末Ａの表示部３が表示する色彩調整更選択メニュー画面の一例を示す図である。
【符号の説明】
【００３１】
Ａ…ＰＨＳ端末、１…通信部、２…操作部、３…表示部、４…カメラ、５…制御部
【図１】
2009204988.tif 000003
【図２】
2009204988.tif 000004
【図３】
2009204988.tif 000005
【図４】
2009204988.tif 000006